(57)【要約】      （修正有）【課題】製造コストが安いカッター一体タイプの構成をとりながら、カッター貼付けタイプの特長を生かしてフィルム体を切り易いロール状フイルム体の収納箱を提供する。【解決手段】箱本体Ｃと蓋Ｄとから成る収納箱において、蓋Ｄの前板１６の下端部にカッター２０を一体に設ける一方、前板１６と左右両側板１７,１７の境界部分に切り込み２１,２１を設け、この切り込み２１,２１により、カッター２０付きの前板１６を、封緘時には本体前面板１１の内側に差し込んで格納し、開封時に同前面板１１の外側に引き出し得るように構成した。【選択図】図１
2008280070.tif 000002
【特許請求の範囲】
【請求項１】
次の構成を具備することを特徴とするロール状フィルム体の収納箱。
（Ｉ）  前面板と底面板と後面板と左右両側面板とによって上面が開口した直方体状に構成された箱本体と、この箱本体の上面開口部を開閉し得るように箱本体の後面板に連設された蓋とから成ること。
（ＩＩ）  この蓋は、上板と前板と左右両側板とを備え、閉じ状態で前板が箱本体の前面板と重なり合い、左右両側板が箱本体の左右両側面板の外側に重なること。
（ＩＩＩ）  蓋の前板下端部に、上記箱本体内から引き出されたフィルム体を切断するカッターが一体に設けられていること。
（ＩV）  蓋における前板と左右両側板の境界部分に切り込みが設けられ、この切り込みにより、前板を、封緘時には箱本体の前面板の内側に差し込み、開封時には引き出して前面板の外側に重ね得るように構成されていること。
【請求項２】
箱本体の前面板の上端部に切り取り片がミシン目等の切り取り線を介して設けられ、この切り取り片を蓋の前板外面に糊付して封緘する一方、この切り取り片を切り取ることにより開封し、かつ、蓋の前板を引き出して箱本体の前面板外側に重ね得るように構成されたことを特徴とする請求項１記載のロール状フィルム体の収納箱。
【請求項３】
箱本体の前面板が同本体のほぼ全高に亘って設けられ、この前面板を蓋の前板外面に糊付けして封緘する一方、この前面板を前板から剥離させることにより開封し、かつ、蓋の前板を引き出して箱本体の前面板外側に重ね得るように構成されたことを特徴とする請求項１記載のロール状フィルム体の収納箱。
【請求項４】
箱本体の前面板の上端部に、封緘状態で蓋の上板外面に重なるガイドフラップが設けられるとともに、このガイドフラップの先端側にミシン目等の切り取り線を介して切り取り片が設けられ、この切り取り片を蓋の上板外面に糊付けして封緘する一方、この切り取り片を切り取ることにより開封し、かつ、蓋の前板を引き出して同本体の前面板の外側に重ね得るように構成されたことを特徴とする請求項３記載のロール状フィルム体の収納箱。
【発明の詳細な説明】
【技術分野】
【０００１】
本発明はロール状に巻かれた食品等包装用のフィルム体（とくにアルミホイル）を収納し、必要量ずつ引き出してカットするロール状フィルム体の収納箱に関するものである。
【背景技術】
【０００２】
本発明の好適例であるアルミホイルの収納箱を例にとって背景技術を説明する。
【０００３】
従来、この収納箱は、図１３,１４に示すように、前面板１と底面板２と後面板３と左右両側面板４，４とによって上面が開口した直方体状に構成された箱本体Ａと、この箱本体Ａの上面開口部を開閉する蓋Ｂとから成っている。
【０００４】
蓋Ｂは、本体後面板３に連設された上板５と、前板６と、左右両側板７,７とから成り、前板６及び左右両側板７,７がそれぞれ本体Ａの前面板１及び左右両側面板４,４の外側に重なる状態で閉じられる。
【０００５】
また、前板６の下端部に、引き出したフィルム体Ｆをカットするための鋸歯状のカッター８が設けられる。
【０００６】
なお、この収納箱は、通常、やや厚手の紙材から箱本体Ａ及び蓋Ｂが一体となったシート状に打ち抜かれ、曲げ、糊付け工程を経て箱状に組立てられる。
【０００７】
また、箱本体Ａにおける前面板１の上端に、箱全体の補強と、使用段階におけるフィルム体（アルミホイル）Ｆの引き出しガイド作用及び飛び出し防止作用を行うガイドフラップが前面板全長に亘って内向きに設けられる場合がある。
【０００８】
このような収納箱の一般的な構成はたとえば特許文献１に示されている。
【０００９】
この収納箱において、カッター８が露出したままだと流通過程でこのカッター８が汚損、破損するおそれがある。
【００１０】
そこで、図１３及び図１４の左側に示すように、前板６の下端にミシン目等の切り取り線９を介して切り取り片１０をほぼ全長に亘って延設するとともに、プラスチック等で別体に形成したカッター８をこの切り取り片１０を含めた前板先端側の内面に貼付けている。
【００１１】
なお、切り取り片１０は本体前面板１に点付けで糊付けされ、開封時に図１４右側に示すようにこの切り取り片１０が切り取られてカッター８が露出する。
【００１２】
この構成によると、図１４右側に示すように、引き出したフィルム体Ｆをカッター８にしっかり押え付けて切断できるため、切り易く、切り損じが少ないという利点がある。
【００１３】
一方、別のタイプとして、図１５に示すように箱本体Ａの前面板１の上端部を鋸歯状に加工することによってカッター８´を一体に設けたものが公知である。
【００１４】
このカッター一体タイプの場合、蓋Ｂの前板６が本体Ａの前面板１に点付けで糊付けされ、使用時にこの糊付け部分が剥がされて開封される。
【特許文献１】特開平８−２１７０６４号公報
【発明の開示】
【発明が解決しようとする課題】
【００１５】
ところが、図１３,１４に示すカッター貼付けタイプの公知技術では、カッター８を別部品として作り、蓋Ｂに貼り付けるため、部品コストを含めた製造コストが高くなるという欠点があった。
【００１６】
一方、図１５に示すカッター一体タイプの公知技術では、カッター貼付けタイプと比較して製造コストが安くなる反面、カッター８´に対するフィルム体Ｆの押し付けが不十分となるため、切り難くて切り損じが多くなるという問題があった。
【００１７】
そこで本発明は、製造コストが安いカッター一体タイプの構成をとりながら、カッター貼付けタイプの特長を生かしてフィルム体を切り易いロール状フィルム体の収納箱を提供するものである。
【課題を解決するための手段】
【００１８】
請求項１の発明は、次の構成を具備するものである。
【００１９】
（Ｉ）  前面板と底面板と後面板と左右両側面板とによって上面が開口した直方体状に構成された箱本体と、この箱本体の上面開口部を開閉し得るように箱本体の後面板に連設された蓋とから成ること。
【００２０】
（ＩＩ）  この蓋は、上板と前板と左右両側板とを備え、閉じ状態で前板が箱本体の前面板と重なり合い、左右両側板が箱本体の左右両側面板の外側に重なること。
【００２１】
（ＩＩＩ）  蓋の前板下端部に、上記箱本体内から引き出されたフィルム体を切断するカッターが一体に設けられていること。
【００２２】
（ＩV）  蓋における前板と左右両側板の境界部分に切り込みが設けられ、この切り込みにより、前板を、封緘時には箱本体の前面板の内側に差し込み、開封時には引き出して前面板の外側に重ね得るように構成されていること。
【００２３】
請求項２の発明は、請求項１の構成において、箱本体の前面板の上端部に切り取り片がミシン目等の切り取り線を介して設けられ、この切り取り片を蓋の前板外面に糊付して封緘する一方、この切り取り片を切り取ることにより開封し、かつ、蓋の前板を引き出して箱本体の前面板外側に重ね得るように構成されたものである。
【００２４】
請求項３の発明は、請求項１の構成において、箱本体の前面板が同本体のほぼ全高に亘って設けられ、この前面板を蓋の前板外面に糊付けして封緘する一方、この前面板を前板から剥離させることにより開封し、かつ、蓋の前板を引き出して箱本体の前面板外側に重ね得るように構成されたものである。
【００２５】
請求項４の発明は、請求項３の構成において、箱本体の前面板の上端部に、封緘状態で蓋の上板外面に重なるガイドフラップが設けられるとともに、このガイドフラップの先端側にミシン目等の切り取り線を介して切り取り片が設けられ、この切り取り片を蓋の上板外面に糊付けして封緘する一方、この切り取り片を切り取ることにより開封し、かつ、蓋の前板を引き出して同本体の前面板の外側に重ね得るように構成されたものである。
【発明の効果】
【００２６】
本発明によると、カッターを蓋の前板下端部に一体に設けるため、フィルム体を切り易いとともに、別体のカッターを蓋の前板内面に貼り付ける貼付けタイプと比較して部品コストを含めた製造コストが安くてすむ。
【００２７】
しかも、カッター付きの前板を、切り込みによって本体前面板の内側に差し込んだ状態で流通させる（開封時まで本体内側に格納する）ことができるため、カッターが露出した状態で流通させる場合のようなカッターの汚損、破損のおそれがない。
【００２８】
すなわち、カッター一体タイプと貼付けタイプの双方の特長を生かすことができる。
【００２９】
この場合、請求項２〜４の発明によると、箱本体の前面板（請求項２,４では切り取り片）が蓋の前板または上板の外面に糊付けされ、これによって収納箱が使用時まで確実に封緘される。このため、蓋が流通過程で外力や振動で開き、あるいは誤って開かれるおそれがない。
【００３０】
また、請求項３,４の発明によると、箱本体の前面板を同本体のほぼ全高に亘って設けているため、蓋の前板を本体内側から引き出して前面板の外側に重ねる使用段階で、この前板と前面板の重なり寸法を大きくとることができる。このため、前板を前面板側に押え込んでフィルム体を切断する際の前板の支持状態が安定することから、フィルム体を切り易くなる。
【００３１】
この場合、請求項４の発明によると、本体前面板の上端にガイドフラップを設け、このガイドフラップに連設した切り取り片を蓋の上板外面に糊付けした構成であるため、ガイドフラップによる箱全体の補強作用と、使用段階でのフィルム体の引き出しガイド作用及び飛び出し防止作用を得ることができる。
【発明を実施するための最良の形態】
【００３２】
本発明の実施形態を図１〜図１２によって説明する。
【００３３】
第１実施形態（図１〜図７参照）
この収納箱の基本構成は従来と同じである。
【００３４】
すなわち、箱本体Ｃは、前面板１１と底面板１２と後面板１３と左右両側面板１４,１４とによって上面が開口した細長の直方体状に形成され、後面板１３に連設された上板１５と前板１６と左右両側板１７,１７とから成る蓋Ｄによって箱本体Ｃの上面開口部が開閉される。
【００３５】
箱本体Ｃには、前面板１１にミシン目等の切り取り線１８を介して切り取り片１９が連設されている。
【００３６】
一方、蓋Ｄの前板１６の先端部（組立状態での下端部）が鋸歯状に加工されることにより、フィルム体Ｆを切断するカッター２０が蓋Ｄと一体に設けられている。
【００３７】
すなわち、この収納箱は、部品コストを含めた製造コストが安くてすむカッター一体タイプの構成を備えている。
【００３８】
但し、これだけでは箱組立状態でカッター２０が外部に露出するため、流通過程でこのカッター２０が汚損または破損するという問題が解消されない。
【００３９】
そこでこの収納箱においては、蓋Ｄにおける前板１６と左右両側板１７,１７の境界部分に切り込み２１,２１が設けられ、この切り込み２１,２１により、封緘時に、図１,３及び図６の左側に示すように、カッター２０付きの前板１６を箱本体Ｃの前面板１１の内側に差し込む（格納する）ことができるように構成されている。
【００４０】
なお、封緘時には、切り取り片１９が蓋前板１６の上部外面に点付けで糊付けされ、この状態で箱が運搬、保管、展示される。
【００４１】
そして、使用時には切り取り片１９を剥ぎ取って開封した後、図６左側の矢印イ,ロで示すように蓋前板１６を本体内側から引き出して前面板１１の外側に重ねる。
【００４２】
あとは従来の収納箱と同様に、フィルム体Ｆを引き出してカッター２０で必要量ずつカットすることができる（図６右側参照）。
【００４３】
上記切り込み２１について詳述する。
【００４４】
図７はこの収納箱の展開状態を示す。同図に示すように、本体Ｃの前面板１１、底面板１２、後面板１３の左右両側にそれぞれ側面板片１４ａ,１４ｂ,１４ｃが一体に延設され、組立時にこれらが内外に重ねられ、糊付けされることによって左右の側面板１４,１４が形成される。
【００４５】
同様に、蓋Ｄの両側板１７,１７も、上板１５及び前板１６の左右両側に一体に延設された側板片１７ａ,１７ｂが内外折り重ね状態で糊付けされることによって形成される。
【００４６】
この構成を前提として、蓋Ｄにおける前板１６の先端側半部（組立状態での下半部）の長さ寸法Ｌ１が根元側半部（同、上半部）の長さ寸法Ｌ２よりも少し短く設定されている。
【００４７】
この寸法設定により、前板１６と、左右両側板１７,１７（側板片１７ｂ,１７ｂ）の境界部分に上記幅寸法差分の空隙２１´,２１´が形成され、組立状態でこの空隙２１´,２１´が図１〜図５に示す切り込み２１,２１となる。
【００４８】
この切り込み２１,２１を設けることにより、前板１６を前面板１１の内側にも外側にも重ね得る状態となる。
【００４９】
すなわち、蓋Ｄは、左右両側板１７が本体側面板１４の外側に位置したまま、前板１６が、封緘時には本体前面板１１の内側に差し込まれ、開封時に本体前面板１１の外側に引き出され得る状態となる。
【００５０】
この収納箱によると、カッター２０を蓋Ｄの前板下端部に一体に設けたカッター一体タイプの構成をとっているため、フィルム体Ｆを切り易いとともに、別体のカッターを蓋の前板内面に貼り付ける貼付けタイプと比較して部品コストを含めた製造コストが安くてすむ。
【００５１】
しかも、カッター２０付きの前板１６を、切り込み２１によって本体前面板１１の内側に差し込んだ状態で流通させる（開封時点まで本体内側に格納する）ことができるため、カッター２０が露出したまま流通させる場合のようなカッター２０の汚損、破損のおそれがない。
【００５２】
すなわち、カッター一体タイプと貼付けタイプの双方の特長を生かすことができる。
【００５３】
この場合、箱本体Ｃの前面板１１に設けられた切り取り片１９が蓋Ｄの前板１６の外面に糊付けされ、これによって収納箱が使用時まで確実に封緘されるため、蓋Ｄが流通過程で外力や振動で開き、あるいは誤って開かれるおそれがない。
【００５４】
なお、蓋前板１６を本体前面板１１の内側にも外側にも重ね得るようにするという目的は、蓋Ｄの左右両側板１７,１７を省略する（蓋Ｄを上板１５と前板１６のみで構成する）ことによっても達成することができる。しかし、こうすると蓋Ｄの剛性、強度が著しく低下し、フィルム体切断時の前板１６の支持力が不足するため、切り難くなるという弊害が生じる。
【００５５】
これに対し実施形態の収納箱によると、蓋Ｄを、左右両側板１７を備えた高剛性、高強度の箱構造としたまま上記目的を達成することができる。
【００５６】
第２実施形態（図８,９参照）
以下の第２、第３両実施形態において、第１実施形態と同一部分には同一符号を付して示し、その重複説明を省略する。
【００５７】
第１実施形態においては、本体前面板１１に切り取り片１９を設け、これを蓋Ｄの前板１６の上部外面に糊付けして封緘する構成をとっているため、切り取り片１９を剥ぎ取って開封し、かつ、前板１６を外側に引き出した状態で、図６の右側に示すように前面板１１と前板１６の上下方向の重なり代が切り取り片１９分だけ小さくなる。このため、前板１６を前面板１１側に押え込んでフィルム体Ｆを切断する際の前板支持強度が低くなり、その分、切れ味が悪くなるおそれがある。
【００５８】
そこで第２実施形態においては、本体前面板１１の切り取り片１９を省略して前面板１１を本体Ｃのほぼ全高に亘って設け、この前面板１１の上部を直接、蓋前板１６の外面に点付けで糊付けして封緘する構成をとっている。
【００５９】
こうすれば、前面板１１の糊付け部分を剥がして開封し、図９の矢印イ,ロで示すように前板１６を本体内側から引き出して前面板１１の外側に重ねた状態（図９右側の状態）で、前板１６と前面板１１の上下方向の重なり代を大きくとることができる。
【００６０】
これにより、前板１６を前面板１１側に押え込んでフィルム体Ｆを切断する際の前板１６の支持力を高めることができるため、フィルム体Ｆの切れ味が良くなる。
【００６１】
第３実施形態（図１０〜図１２参照）
第１実施形態では本体前面板１１に設けた切り取り片１９を、第２実施形態では本体前面板１１を直接、それぞれ蓋前板１６の外面に糊付けする構成であるため、箱全体の補強作用と使用段階でのフィルム体ガイド作用及び飛び出し防止作用を行うガイドフラップを設けることができない。
【００６２】
そこで第３実施形態においては、図１０に示すように本体前面板１１の上端部に、蓋上板１５の外面に重なるガイドフラップ２２を内向きに連設している。
【００６３】
このガイドフラップ２２の先端側には、切り取り線２３を介して切り取り片２４を設け、この切り取り片２４を蓋上板１５の外面に糊付けして封緘している。
【００６４】
そして、使用時には図１１,１２に示すように切り取り片２４を切り取って開封し、かつ、蓋Ｄを本体前面板１１の内側から外側に引き出して本体前面板１１及びガイドフラップ２２の外側に重ねる。
【００６５】
この構成により、ガイドフラップ２２による箱全体の補強作用と、使用段階でのフィルム体Ｆの引き出しガイド作用及び飛び出し防止作用を得ることができる。
【００６６】
ところで、本発明は、紙製のカッター２０でも十分な切断力が得られるアルミホイルの収納箱としてとくに適するが、クッキングペーパーまたはラップフィルムの収納箱としても適用可能である。
【図面の簡単な説明】
【００６７】
【図１】本発明の第１実施形態にかかる収納箱の封緘状態の斜視図である。
【図２】収納箱を開封した使用状態の斜視図である。
【図３】図１の一部拡大図である。
【図４】図３の状態から蓋の前板を外側に引き出した状態の図３相当図である。
【図５】図４の状態から蓋の前板を箱本体の前面板の外側に重ねた状態の図３相当図である。
【図６】蓋の前板を箱本体の前面板の内側に差し込んだ状態と外側に引き出した状態を併せ示す断面図である。
【図７】収納箱の展開図である。
【図８】本発明の第２実施形態にかかる収納箱の封緘状態の斜視図である。
【図９】同箱の図６相当図である。
【図１０】本発明の第３実施形態にかかる収納箱の封緘状態の斜視図である。
【図１１】同箱を開封した使用状態の斜視図である。
【図１２】同状態の断面図である。
【図１３】従来例を示す斜視図である。
【図１４】同箱の封緘状態と開封状態を併せ示す断面図である。
【図１５】別の従来例を示す斜視図である。
【符号の説明】
【００６８】
Ｃ  箱本体
Ｄ  蓋
１１  箱本体の前面板
１２  同底面板
１３  同後面板
１４  同左右両側面板
１５  蓋の上板
１６  同前板
１７  同左右両側板
１８  切り取り線
１９  切り取り片
２０  カッター
２１  切り込み
２２  ガイドフラップ
２３  切り取り線
２４  切り取り片
【図１】
2008280070.tif 000003
【図２】
2008280070.tif 000004
【図３】
2008280070.tif 000005
【図４】
2008280070.tif 000006
【図５】
2008280070.tif 000007
【図６】
2008280070.tif 000008
【図７】
2008280070.tif 000009
【図８】
2008280070.tif 000010
【図９】
2008280070.tif 000011
【図１０】
2008280070.tif 000012
【図１１】
2008280070.tif 000013
【図１２】
2008280070.tif 000014
【図１３】
2008280070.tif 000015
【図１４】
2008280070.tif 000016
【図１５】
2008280070.tif 000017